(57)【要約】      （修正有）【課題】下壁部の撓みを低減する電子装置を提供する。【解決手段】ラック搭載型装置４０は、筐体と、仕切部材５０と、支持部とを備える。筐体は、電子ユニット８０を収容するユニット収容室４４を幅方向に複数有する。仕切部材５０は、筐体の上壁部から吊り下げられ、隣り合うユニット収容室４４を仕切るとともに、電子ユニット８０を支持する。支持部は、筐体の側壁部からユニット収容室４４内へ延出するとともに、筐体の下壁部と間隔を空けて配置され、電子ユニット８０を支持する。【選択図】図２
2020140986.tif 000002
【特許請求の範囲】
【請求項１】
電子ユニットと、
前記電子ユニットを収容するユニット収容室を幅方向に複数有する筐体と、
前記筐体の上壁部から吊り下げられ、隣り合う前記ユニット収容室を仕切るとともに、前記電子ユニットを支持する仕切部材と、
前記筐体の側壁部から前記ユニット収容室内へ延出するとともに、前記筐体の下壁部と間隔を空けて配置され、前記電子ユニットを支持する支持部と、
を備える電子装置。
【請求項２】
前記仕切部材及び前記支持部は、前記電子ユニットを前記筐体の前記下壁部から浮かした状態で支持する、
請求項１に記載の電子装置。
【請求項３】
前記筐体の前記側壁部の外面に設けられるガイド部材を備え、
前記支持部は、前記ガイド部材に設けられ、該ガイド部材から前記筐体の前記側壁部を貫通して前記ユニット収容室内に延出する、
請求項１又は請求項２に記載の電子装置。
【請求項４】
前記ガイド部材は、前記筐体が搭載されるラックのガイドレールに連結される、
請求項３に記載の電子装置。
【請求項５】
複数の前記ユニット収容室の奥側に配置され、前記筐体の幅方向に延びるとともに、前記筐体の両側の前記側壁部を連結する連結部材を備え、
前記仕切部材は、前記連結部材と接合される、
請求項１〜請求項４の何れか１項に記載の電子装置。
【請求項６】
前記連結部材は、前記筐体の前記上壁部に接合される、
請求項５に記載の電子装置。
【請求項７】
前記連結部材は、前記筐体の前記下壁部と間隔を空けて配置され、前記電子ユニットを支持する、
請求項５又は請求項６に記載の電子装置。
【請求項８】
前記電子ユニットが接続されるコネクタを有し、前記連結部材に保持される基板を備える、
請求項５〜請求項７の何れか１項に記載の電子装置。
【発明の詳細な説明】
【技術分野】
【０００１】
本願が開示する技術は、電子装置に関する。
【背景技術】
【０００２】
ラックに収容されるサーバ装置等の電子装置がある（例えば、特許文献１，２参照）。この電子装置は、ラックの高さ方向に複数段で収容される。また、各電子装置には、複数の電子ユニットが収容される。
【先行技術文献】
【特許文献】
【０００３】
【特許文献１】特開２００８−０４７７４８号公報
【特許文献２】特開２００６−０２４２８３号公報
【発明の概要】
【発明が解決しようとする課題】
【０００４】
ところで、電子ユニットの重量によって電子装置の下壁部が下方へ撓むと、当該下壁部が下段の電子装置に干渉する可能性がある。
【０００５】
この対策として、例えば、ラック内において、電子装置の高さ方向の収容間隔を広げることが考えられる。しかしながら、電子装置の高さ方向の収容間隔を広げると、ラック内の電子装置の収容領域が減少してしまう。
【０００６】
本願が開示する技術は、一つの側面として、電子装置の下壁部の撓みを低減することを目的とする。
【課題を解決するための手段】
【０００７】
本願が開示する技術では、電子装置は、筐体と、仕切部材と、支持部とを備える。筐体は、電子ユニットを収容するユニット収容室を幅方向に複数有する。仕切部材は、筐体の上壁部から吊り下げられ、隣り合うユニット収容室を仕切るとともに、電子ユニットを支持する。支持部は、筐体の側壁部からユニット収容室内へ延出するとともに、筐体の下壁部と間隔を空けて配置され、電子ユニットを支持する。
【発明の効果】
【０００８】
本願が開示する技術によれば、一つの側面として、電子装置の下壁部の撓みを低減することができる。
【図面の簡単な説明】
【０００９】
【図１】図１は、一実施形態に係る電子機器を示す斜視図である。
【図２】図２は、図１に示されるラック搭載型装置を示す斜視図である。
【図３】図３は、図４の３−３線断面図である。
【図４】図４は、図２に示されるラック搭載型装置の前側を示す平面図である。
【図５】図５は、図４に示されるラック搭載型装置を示す分解斜視図である。
【図６】図６は、図５に示される連結部材、基板、及びガイド部材を示す分解斜視図である。
【図７】図７は、図３に示される仕切部材の支持部を示す拡大断面図である。
【図８】図８は、図３に示されるガイド部材の支持部を示す拡大断面図である。
【図９】図９は、図４の９−９線断面図である。
【図１０】図１０は、図４の１０−１０線断面図である。
【図１１】図１１は、比較例に係るラック搭載型装置を示す図３に対応する断面図である。
【図１２】図１２は、一実施形態に係るラック搭載型装置の変形例を示す図８に対応する断面図である。
【図１３】図１３は、一実施形態に係るラック搭載型装置の変形例を示す図８に対応する断面図である。
【発明を実施するための形態】
【００１０】
本願が開示する技術の一実施形態について説明する。
【００１１】
（電子機器）
図１には、一実施形態に係る電子機器１０が示されている。電子機器１０は、ラック２０と、複数のラック搭載型装置４０とを備えている。
【００１２】
なお、ラック搭載型装置４０は、電子装置の一例である。また、各図において適宜示される矢印Ｆは、ラック２０及びラック搭載型装置４０の前側（前後方向の前側）を示している。また、矢印Ｗは、ラック２０の幅方向を示している。さらに、矢印Ｕは、ラック２０及びラック搭載型装置４０の上側（高さ方向の上側）を示している。
【００１３】
（ラック）
ラック２０は、底板２２と、４本の支柱２４と、天板２６とを有している。底板２２は、矩形状に形成されており、例えば、床の設置面に設置される。この底板２２の各角部には、支柱２４が立てられている。４本の支柱２４は、例えば、断面形状がＬ字状の金属部材によって形成されている。これらの支柱２４の上に、矩形状の天板２６が載置されている。
【００１４】
ラック２０の前面（矢印Ｆ側の面）には、ラック２０の内部に通じる搭載口２８が形成されている。この搭載口２８からラック２０の内部に、複数のラック搭載型装置４０が収容される。複数のラック搭載型装置４０は、ラック２０の高さ方向（矢印Ｕ方向）に複数段で収容される。なお、搭載口２８は、ラック２０の後面に形成されても良い。
【００１５】
図２に示されるように、ラック２０の幅方向の両側には、ラック搭載型装置４０をスライド可能に支持し、ラック２０の内部へ案内する一対のガイドレール３０が設けられている。一対のガイドレール３０は、ラック２０の前後方向に沿って配置されている。各ガイドレール３０は、ラック２０の前側の支柱２４と後側の支柱２４とに掛け渡されている。
【００１６】
図３に示されるように、ガイドレール３０は、断面形状がＣ字状の金属部材によって形成されている。このガイドレール３０は、一対のフランジ部３０Ａと、ウェブ部３０Ｂとを有している。一対のフランジ部３０Ａは、ラック２０の高さ方向に互いに対向している。ウェブ部３０Ｂは、一対のフランジ部３０Ａを接続している。
【００１７】
（ラック搭載型装置）
図２に示されるように、ラック搭載型装置４０は、筐体４２と、複数の電子ユニット８０とを有している。筐体４２は、扁平な箱状に形成されている。図３に示されるように、筐体４２は、上壁部４２Ｕと、下壁部４２Ｌと、一対の側壁部４２Ｓとを有している。上壁部４２Ｕと下壁部４２Ｌとは、筐体４２の高さ方向に対向している。一対の側壁部４２Ｓは、筐体４２の幅方向に互い対向している。また、一対の側壁部４２Ｓは、上壁部４２Ｕと下壁部４２Ｌとを接続している。
【００１８】
図２及び図４に示されるように、筐体４２の前側（矢印Ｆ側）には、複数のユニット収容室４４が設けられている。複数のユニット収容室４４は、筐体４２の幅方向に並んで配置されている。また、筐体４２の前面（矢印Ｆ側の面）には、複数のユニット収容室４４に通じる収容口４６（図２参照）が形成されている。この収容口４６から、各ユニット収容室４４に電子ユニット８０が引出し可能に収容される。
【００１９】
なお、筐体４２の後側には、例えば、他の電子ユニット１４等が収容されている。
【００２０】
（仕切部材）
図４に示されるように、筐体４２の前側には、複数のユニット収容室４４を仕切るとともに、電子ユニット８０をユニット収容室４４内へ案内する仕切部材５０が設けられている。仕切部材５０は、筐体４２の前後方向に延びるとともに、筐体４２の幅方向の中央部に配置されている。また、図３に示されるように、仕切部材５０は、筐体４２の上壁部４２Ｕから吊り下げられている。この仕切部材５０によって、筐体４２の前側が、２つのユニット収容室４４に仕切られている。
【００２１】
図５及び図６に示されるように、仕切部材５０は、断面形状がＨ形状の金属部材によって形成されている。この仕切部材５０は、フランジ部５２と、仕切壁部５４と、支持部５６とを有している。
【００２２】
図３に示されるように、フランジ部３０Ａは、筐体４２の上壁部４２Ｕの下面に重ねられた状態で、ビス１２等によって接合されている。仕切壁部５４は、フランジ部３０Ａの幅方向の中央部から下方へ延出している。この仕切壁部５４によって、複数のユニット収容室４４が仕切られている。また、仕切壁部５４の下端部には、支持部５６が設けられている。
【００２３】
図７に示されるように、支持部５６は、仕切壁部５４から両側のユニット収容室４４内へそれぞれ延出している。また、支持部５６は、筐体４２の下壁部４２Ｌと間隔（隙間）Ｇを空けて配置されている。この支持部５６の上面は、後述する電子ユニット８０の幅方向の一端部８０Ｅ１をスライド可能に支持する支持面５６Ａとされている。そして、電子ユニット８０は、支持部５６の支持面５６Ａ上をスライドしながらユニット収容室４４に収容される。つまり、仕切部材５０は、ユニット収容室４４に対する電子ユニット８０の収容及び引出しを案内するガイドレールとしても機能する。
【００２４】
（ガイド部材）
図５に示されるように、筐体４２の両側の側壁部４２Ｓの外面には、一対のガイド部材６０が設けられる。この一対のガイド部材６０は、ラック２０の一対のガイドレール３０（図２参照）にスライド可能に連結されている。これにより、筐体４２が、ラック２０の内部に引き出し可能に収容される。
【００２５】
一対のガイド部材６０は、筐体４２の前後方向に延びるとともに、筐体４２の幅方向の両側に配置されている。また、一対のガイド部材６０は、例えば、金属部材によって形成されている。各ガイド部材６０は、ベース部６２と、上側連結部６４と、下側連結部６６と、複数の支持部６８とを有している。なお、上側連結部６４及び下側連結部６６は、連結部の一例である。
【００２６】
図３に示されるように、ベース部６２は、板状に形成されている。このベース部６２は、筐体４２の側壁部４２Ｓの外面に重ねられた状態で、ビス１２（図９参照）等によって側壁部４２Ｓに接合されている。また、ベース部６２の上端部には、上側連結部６４が設けられている。一方、ベース部６２の下端部には、下側連結部６６及び支持部６８が設けられている。
【００２７】
上側連結部６４及び下側連結部６６は、筐体４２の高さ方向に互いに対向している。また、上側連結部６４及び下側連結部６６は、ベース部６２から筐体４２の側壁部４２Ｓと反対側へ延出し、ガイドレール３０の一対のフランジ部３０Ａの間に挿入されている。これらの上側連結部６４及び下側連結部６６は、図示しないボールベアリングを介して、ガイドレール３０にスライド可能に連結されている。なお、図３には、ボールベアリングのボール６９が模式的に示されている。
【００２８】
図５に示されるように、複数の支持部６８は、ガイド部材６０の長手方向に間隔を空けて配置されている。また、複数の支持部６８は、ベース部６２の下端部から筐体４２の側壁部４２Ｓ側へ延出している。これらの支持部６８は、筐体４２の側壁部４２Ｓの下部に形成された複数の開口４８に挿入される。
【００２９】
複数の開口４８は、筐体４２の前後方向の延びるスリット状に形成されている。また、複数の開口４８は、筐体４２の前後方向に間隔を空けて配置されている。これらの開口４８には、ガイド部材６０の支持部６８がそれぞれ挿入される。これにより、図８に示されるように、支持部６８が、ベース部６２から開口４８を介してユニット収容室４４内へ延出される。
【００３０】
支持部６８は、筐体４２の下壁部４２Ｌと間隔Ｇを空けた状態で配置されている。この支持部６８の上面は、後述する電子ユニット８０の幅方向の他端部８０Ｅ２をスライド可能に支持する支持面６８Ａとされている。そして、電子ユニット８０は、支持部６８の支持面６８Ａ上をスライドしながらユニット収容室４４に収容される。つまり、ガイド部材６０は、ユニット収容室４４に対する電子ユニット８０の収容及び引出しを案内するガイドレールとしても機能する。
【００３１】
（連結部材）
図２に示されるように、筐体４２の前後方向の中央部には、連結部材７０が設けられている。連結部材７０は、筐体４２の幅方向に沿って配置されている。図６に示されるように、連結部材７０は、筐体４２の前後方向から見て、矩形の枠状に形成されている。この連結部材７０は、一対の縦フレーム部７０Ｓ、上側横フレーム部７０Ｕ、及び下側横フレーム部７０Ｌを有している。一対の縦フレーム部７０Ｓ、上側横フレーム部７０Ｕ、及び下側横フレーム部７０Ｌは、断面形状がＬ字状の金属部材によって形成されている。
【００３２】
図９に示されるように、縦フレーム部７０Ｓは、筐体４２の高さ方向に延びるとともに、筐体４２の側壁部４２Ｓの内面に沿って配置されている。この縦フレーム部７０Ｓは、ビス１２等によって、筐体４２の側壁部４２Ｓ及びガイド部材６０のベース部６２に接合されている。
【００３３】
図６に示されるように、上側横フレーム部７０Ｕは、筐体４２の幅方向に延びるとともに、一対の縦フレーム部７０Ｓの上端部同士を接続している。また、下側横フレーム部７０Ｌは、筐体４２の幅方向の延びるとともに、一対の縦フレーム部７０Ｓの下端部同士を接続している。この連結部材７０によって、図４に示されるように、筐体４２の両側の側壁部４２Ｓ同士が連結されるとともに、一対のガイド部材６０同士が連結されている。
【００３４】
図１０に示されるように、上側横フレーム部７０Ｕは、筐体４２の上壁部４２Ｕにビス１２（図４参照）等によって接合されている。この連結部材７０によって、筐体４２の上壁部４２Ｕの撓みが抑制されている。また、連結部材７０は、筐体４２の上壁部４２Ｕから吊り下げられている。
【００３５】
具体的には、下側横フレーム部７０Ｌは、筐体４２の下壁部４２Ｌと間隔（隙間）Ｇを空けて配置される支持部７１を有している。この支持部７１の上面は、電子ユニット８０の後側の端部（後端部）８０Ｒをスライド可能に支持する支持面７１Ａとされている。
【００３６】
連結部材７０は、基板７２を保持するフレームとしても機能する。具体的には、連結部材７０には、ミッドプレーンとしての基板７２が取り付けられている。基板７２は、矩形状に形成されている。この基板７２は、連結部材７０の後面に重ねられた状態で、図示しないビス等によって連結部材７０に固定されている。また、基板７２には、複数のコネクタ７４が実装されている。これらのコネクタ７４には、電子ユニット８０のコネクタ８８が着脱可能に接続される。
【００３７】
図４に示されるように、連結部材７０と仕切部材５０とは、平面視にて、Ｔ字状に配置されている。そして、連結部材７０の長手方向の中央部に、仕切部材５０の長手方向の端部５０Ｅが接合されている。この連結部材７０によって、仕切部材５０の端部５０Ｅが支持されている。
【００３８】
（電子ユニット）
図２に示されるように、電子ユニット８０は、ユニット筐体８２と、コネクタ８８とを有している。ユニット筐体８２は、扁平な箱状に形成されている。この電子ユニット８０は、ラック搭載型装置４０の収容口４６からユニット収容室４４に収容される。
【００３９】
図３に示されるように、電子ユニット８０の幅方向の一端部８０Ｅ１は、仕切部材５０の支持部５６の支持面５６Ａに載置される。また、電子ユニット８０の幅方向の他端部８０Ｅ２は、ガイド部材６０の支持部６８の支持面６８Ａに載置される。これにより、電子ユニット８０は、ラック搭載型装置４０の下壁部４２Ｌから浮いた状態で、仕切部材５０の支持部５６及びガイド部材６０の支持部６８によって支持される。つまり、電子ユニット８０は、ラック搭載型装置４０の下壁部４２Ｌと間隔（隙間）Ｄを空けた状態で、仕切部材５０の支持部５６及びガイド部材６０の支持部６８によって支持される。
【００４０】
ここで、電子ユニット８０の一端部８０Ｅ１及び他端部８０Ｅ２の下面８０Ｌには、電子ユニット８０の前後方向に延びる段部８４，８６がそれぞれ設けられている。段部８４，８６は、電子ユニット８０の一端部８０Ｅ１及び他端部８０Ｅ２における下側の角部をそれぞれ切り欠くことにより形成されている。
【００４１】
段部８４，８６の下面８４Ｌ，８６Ｌは、電子ユニット８０の下面８０Ｌよりも上側に配置されている。そして、図７に示されるように、段部８４の下面８４Ｌは、仕切部材５０の支持部５６の支持面５６Ａにスライド可能に載置される。また、図８に示されるように、段部８６の下面８６Ｌは、ガイド部材６０の支持部６８の支持面６８Ａにスライド可能に載置される。
【００４２】
図１０に示されるように、電子ユニット８０の後側の端部８０Ｒには、電子ユニット８０の幅方向に延びる段部８７が設けられている。段部８７は、電子ユニット８０の端部８０Ｒにおける下側の角部を切り欠くことにより形成されている。また、段部８７の下面８７Ｌは、電子ユニット８０の下面８０Ｌよりも上側に配置されている。この段部８７の下面８７Ｌは、連結部材７０の支持部７１の支持面７１Ａにスライド可能に載置される。
【００４３】
コネクタ８８は、電子ユニット８０の後面側に設けられている。また、コネクタ８８は、電子ユニット８０内に収容された図示しない基板と接続されている。このコネクタ８８は、ユニット収容室４４に電子ユニット８０が収容された状態で、連結部材７０に保持された基板７２（ミッドプレーン）のコネクタ７４に接続される。
【００４４】
（作用）
次に、本実施形態の作用について説明する。
【００４５】
先ず、比較例に係るラック搭載型装置について説明する。図１１には、比較例に係るラック搭載型装置１００が示されている。このラック搭載型装置１００では、仕切部材１０１によって、筐体１０２の上壁部１０２Ｕと下壁部１０２Ｌとが連結されている。
【００４６】
比較例に係るラック搭載型装置１００では、筐体１０２の下壁部１０２Ｌの上に電子ユニット１１０が載置される。この場合、図１１に二点鎖線で示されるように、電子ユニット１１０の重量によって、筐体１０２の下壁部１０２Ｌが下方へ撓む可能性がある。そして、筐体１０２の下壁部１０２Ｌが下方へ撓むと、当該下壁部１０２Ｌが、図示しないラックに収容された下段のラック搭載型装置に干渉する可能性がある。
【００４７】
これに対して本実施形態に係るラック搭載型装置４０では、図３に示されるように、筐体４２のユニット収容室４４に電子ユニット８０が収容される。この電子ユニット８０の一端部８０Ｅ１は、仕切部材５０の支持部５６に支持され、電子ユニット８０の他端部８０Ｅ２は、ガイド部材６０の支持部６８によって支持される。
【００４８】
ここで、仕切部材５０は、筐体４２の上壁部４２Ｕから吊り下げられている。つまり、仕切部材５０の支持部５６は、筐体４２の下壁部４２Ｌと間隔Ｇ（図７参照）を空けて配置されている。また、ガイド部材６０の支持部６８は、筐体４２の下壁部４２Ｌと間隔Ｇ（図８参照）を空けて配置されている。これにより、支持部５６，６８から、筐体４２の下壁部４２Ｌにかかる電子ユニット８０の荷重が低減される。したがって、筐体４２の下壁部４２Ｌの撓みが低減される。この結果、筐体４２の下壁部４２Ｌが、下段のラック搭載型装置４０（図１参照）に干渉することが抑制される。
【００４９】
また、仕切部材５０の支持部５６、及びガイド部材６０の支持部６８は、筐体４２の下壁部４２Ｌから電子ユニット８０を浮かせた状態で、電子ユニット８０を支持する。すなわち、仕切部材５０の支持部５６、及びガイド部材６０の支持部６８は、筐体４２の下壁部４２Ｌと電子ユニット８０との間に間隔Ｄ（図７及び図８参照）を空けた状態で、電子ユニット８０を支持する。これにより、電子ユニット８０の荷重が、筐体４２の下壁部４２Ｌにかかることが抑制される。したがって、筐体４２の下壁部４２Ｌの撓みが抑制される。
【００５０】
さらに、図８に示されるように、筐体４２の両側の側壁部４２Ｓの外面には、ガイド部材６０が設けられている。ガイド部材６０は、ラック２０のガイドレール３０にスライド可能に連結されている。このガイド部材６０に支持部６８が設けられている。これにより、電子ユニット８０が、支持部６８及びガイド部材６０を介してラック２０のガイドレール３０に支持される。したがって、支持部６８によって電子ユニット８０をより安定した状態で支持することができる。
【００５１】
また、図３に示されるように、電子ユニット８０の一端部８０Ｅ１及び他端部８０Ｅ２には、段部８４，８６がそれぞれ設けられている。これらの段部８４，８６によって、電子ユニット８０の一端部８０Ｅ１及び他端部８０Ｅ２の下側に、支持部５６，６８の設置スペースが確保されている。これにより、電子ユニット８０の幅方向の中央部の高さを高くすることができる。
【００５２】
ところで、筐体４２の側壁部４２Ｓに設けられた支持部６８によって電子ユニット８０を支持した場合、電子ユニット８０の荷重が支持部６８を介して筐体４２の側壁部４２Ｓに伝達される。この場合、筐体４２の側壁部４２Ｓが変形する可能性がある。
【００５３】
この対策として本実施形態では、図８及び図９に示されるように、筐体４２の側壁部４２Ｓの外面にガイド部材６０が設けられている。ガイド部材６０は、筐体４２の側壁部４２Ｓの外面に重ねられるベース部６２を有している。このベース部６２によって、筐体４２の側壁部４２Ｓが補強される。
【００５４】
さらに、ベース部６２には、上側連結部６４及び下側連結部６６が設けられている。上側連結部６４及び下側連結部６６は、ベース部６２から筐体４２の側壁部４２Ｓと反対側へ延出している。これらの上側連結部６４及び下側連結部６６は、ベース部６２を補強する補強リブとしても機能する。これにより、ベース部６２による筐体４２の側壁部４２Ｓの補強効果が高められる。したがって、筐体４２の側壁部４２Ｓの変形等がさらに抑制される。
【００５５】
また、図４に示されるように、筐体４２のユニット収容室４４の奥側には、連結部材７０が配置されている。連結部材７０は、筐体４２の両側の側壁部４２Ｓを連結するとともに、両側のガイド部材６０を連結している。この連結部材７０によっても、筐体４２の側壁部４２Ｓが補強される。したがって、筐体４２の側壁部４２Ｓの変形等がさらに抑制される。
【００５６】
また、前述したように本実施形態では、図３に示されるように、筐体４２の上壁部４２Ｕから吊り下げられた仕切部材５０によって、電子ユニット８０の一端部８０Ｅ１が支持される。そのため、電子ユニット８０の荷重は、仕切部材５０を介して筐体４２の上壁部４２Ｕに伝達される。この場合、筐体４２の上壁部４２Ｕが撓む可能性がある。
【００５７】
この対策として本実施形態では、図１０に示されるように、筐体４２の上壁部４２Ｕに連結部材７０が接合されている。これにより、筐体４２の上壁部４２Ｕが、連結部材７０を介して筐体４２の両側の側壁部４２Ｓ及び一対のガイド部材６０に支持される。したがって、筐体４２の上壁部４２Ｕの撓みが抑制される。
【００５８】
さらに、図４に示されるように、仕切部材５０の端部５０Ｅは、連結部材７０に接合されている。これにより、仕切部材５０が、連結部材７０を介して筐体４２の両側の側壁部４２Ｓ及び一対のガイド部材６０に支持される。したがって、筐体４２の上壁部４２Ｕの撓みが抑制される。
【００５９】
また、図１０に示されるように、電子ユニット８０の後側の端部８０Ｒは、連結部材７０の下側横フレーム部７０Ｌの支持部７１によって支持される。この連結部材７０は、筐体４２の上壁部４２Ｕから吊り下げられている。つまり、連結部材７０は、筐体４２の下壁部４２Ｌと間隔Ｇを空けて配置されている。これにより、電子ユニット８０の後側の端部８０Ｒが、連結部材７０を介して筐体４２の両側の側壁部４２Ｓ及び一対のガイド部材６０に支持される。したがって、筐体４２の上壁部４２Ｕの撓みが抑制されるとともに、筐体４２の下壁部４２Ｌの撓みも抑制される。
【００６０】
また、電子ユニット８０の後側の端部８０Ｒには、段部８７が設けられている。この段部８７によって、電子ユニット８０の端部８０Ｒの下側に、連結部材７０の支持部７１の設置スペースが確保されている。これにより、電子ユニット８０の前後方向の中央部の高さを高くすることができる。
【００６１】
さらに、連結部材７０は、基板７２を保持している。つまり、連結部材７０は、基板７２を保持するフレームと兼用されている。したがって、ラック搭載型装置４０の部品点数が低減される。
【００６２】
（変形例）
次に、上記実施形態の変形例について説明する。
【００６３】
上記実施形態では、ラック搭載型装置４０のガイド部材６０が、ラック２０のガイドレール３０にスライド可能に連結されている。しかし、例えば、図１２に示されるように、ガイド部材１２０は、ガイドレール９０に連結されなくても良い。
【００６４】
具体的には、ガイドレール９０は、断面形状がＬ字状の金属部材によって形成されている。このガイドレール９０は、側面ガイド部９０Ｓと、下面ガイド部９０Ｌとを有している。側面ガイド部９０Ｓは、ラック２０の高さ方向に沿って配置されている。この側面ガイド部９０Ｓの下端部には、下面ガイド部９０Ｌが設けられている。下面ガイド部９０Ｌは、側面ガイド部９０Ｓの下端部からラック２０の幅方向の中央側へ延出している。この下面ガイド部９０Ｌの上面に、筐体４２の下壁部４２Ｌの下面がスライド可能に載置される。
【００６５】
ガイド部材１２０は、筐体４２の側壁部４２Ｓの外面に設けられている。また、ガイド部材１２０は、断面形状がＬ字状の金属部材によって形成されている。このガイド部材１２０は、ベース部１２２と、支持部１２４とを有している。ベース部１２２は、筐体４２の側壁部４２Ｓの外面に重ねられた状態で、図示しないビス等によって筐体４２の側壁部４２Ｓに接合されている。このベース部１２２によって、筐体４２の側壁部４２Ｓが補強されている。
【００６６】
ベース部１２２の下端部には、支持部１２４が設けられている。支持部１２４は、ベース部１２２の下端部から筐体４２の側壁部４２Ｓに形成された開口４８を介してユニット収容室４４内へ延出している。この支持部１２４の支持面１２４Ａに、電子ユニット８０の段部８６の下面８６Ｌがスライド可能に載置されている。このように、ガイドレール９０に連結されないガイド部材１２０の支持部１２４によって、電子ユニット８０を支持することも可能である。
【００６７】
また、上記実施形態では、仕切部材５０、ガイド部材６０、及び連結部材７０の支持部５６，６８，７１によって、電子ユニット８０の段部８４，８６，８７の下面８０Ｌ，８６Ｌ，８７Ｌが支持される。しかし、段部８４，８６，８７は、省略されても良い。この場合、例えば、仕切部材５０、ガイド部材６０、及び連結部材７０の支持部５６，６８，７１によって、電子ユニット８０の下面８０Ｌが支持される。
【００６８】
次に、図１３に示される変形例では、電子ユニット８０の他端部８０Ｅ２の側面８０Ｓに、筐体４２の前後方向に延びる溝部１３０が形成されている。一方、筐体４２の側壁部４２Ｓの内面には、ガイド部材１４０が設けられている。ガイド部材１４０は、ベース部１４２と、支持部１４４とを有している。
【００６９】
ベース部１４２は、筐体４２の側壁部４２Ｓの内面に重ねられている。このベース部１４２は、図示しないビス等によって筐体４２の側壁部４２Ｓに接合されている。支持部１４４は、筐体４２の前後方向に延びるとともに、ベース部１４２の中央部からユニット収容室４４内へ突起状に突出し、筐体４２の溝部１３０にスライド可能に挿入されている。
【００７０】
支持部１４４の上面は、溝部１３０の上側の面１３０Ｌをスライド可能に支持する支持面１４４Ａとされている。この支持部１４４は、電子ユニット８０を筐体４２の下壁部４２Ｌから浮かした状態、すなわち電子ユニット８０と筐体４２の下壁部４２Ｌとの間に間隔Ｄを空けた状態で、電子ユニット８０を支持する。これにより、上記実施形態と同様に効果を得ることができる。
【００７１】
なお、図示を省略するが、電子ユニット８０の一端部８０Ｅ１の側面に、図１３に示される溝部１３０と同様の溝部が形成されても良い。この場合、仕切部材５０には、例えば、図１３に示されるガイド部材１４０の支持部１４４と同様の支持部が設けられる。
【００７２】
また、筐体４２の側壁部４２Ｓからユニット収容室４４側へ延出する支持部としては、例えば、ユニット収容室４４側へ部分的に切り起された側壁部４２Ｓの切起し部によって形成されても良い。
【００７３】
次に、上記実施形態では、仕切部材５０の仕切壁部５４の下端部に、支持部５６が設けられている。しかし、支持部５６は、仕切壁部５４の下端部よりも上側に設けられても良い。
【００７４】
また、上記実施形態では、筐体４２に２つのユニット収容室４４が設けられている。しかし、筐体４２には、２つ以上のユニット収容室４４が設けられても良い。また、複数のユニット収容室４４は、筐体４２の前側に限らず、筐体４２の後側に設けられても良い。さらに、複数のユニット収容室４４は、筐体４２の前側及び後側の両側に設けられても良い。
【００７５】
また、上記実施形態では、連結部材７０によって、電子ユニット８０の後側の端部８０Ｒが支持される。しかし、連結部材７０は、電子ユニット８０を支持しなくても良い。また、上記実施形態では、連結部材７０が、筐体４２の上壁部４２Ｕから吊り下げられている。しかし、連結部材７０は、筐体４２の上壁部４２Ｕから吊り下げられず、筐体４２の下壁部４２Ｌに支持されても良い。
【００７６】
また、上記実施形態の連結部材７０は、筐体４２の前後方向の中央部に設けられている。しかし、連結部材は、例えば、筐体４２の後側に設けられても良い。なお、筐体４２の後側に配置された連結部材は、例えば、バックプレーンとしての基板が取り付けられる。さらに、連結部材は、省略されても良い。
【００７７】
また、上記実施形態は、ラック搭載型装置４０以外の電子装置にも適宜適用可能である。
【００７８】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【００７９】
なお、以上の実施形態に関し、さらに以下の付記を開示する。
【００８０】
（付記１）
電子ユニットと、
前記電子ユニットを収容するユニット収容室を幅方向に複数有する筐体と、
前記筐体の上壁部から吊り下げられ、隣り合う前記ユニット収容室を仕切るとともに、前記電子ユニットを支持する仕切部材と、
前記筐体の側壁部から前記ユニット収容室内へ延出するとともに、前記筐体の下壁部と間隔を空けて配置され、前記電子ユニットを支持する支持部と、
を備える電子装置。
（付記２）
前記仕切部材及び前記支持部は、前記電子ユニットを前記筐体の前記下壁部から浮かした状態で支持する、
付記１に記載の電子装置。
（付記３）
前記仕切部材及び前記支持部は、前記電子ユニットの下面をスライド可能に支持する、
付記１又は付記２に記載の電子装置。
（付記４）
前記電子ユニットは、前記仕切部材及び前記支持部に沿って前記ユニット収容室に収容される、
付記１〜付記３の何れか１つに記載の電子装置。
（付記５）
前記仕切部材は、前記電子ユニットの幅方向の一端部を支持し、
前記支持部は、前記電子ユニットの幅方向の他端部を支持する、
付記１〜付記４の何れか１つに記載の電子装置。
（付記６）
前記仕切部材は、前記筐体の前記下壁部と間隔を空けて配置される、
付記１〜付記５の何れか１つに記載の電子装置。
（付記７）
前記筐体の前記側壁部の外面に設けられるガイド部材を備え、
前記支持部は、前記ガイド部材に設けられ、該ガイド部材から前記筐体の前記側壁部を貫通して前記ユニット収容室内に延出する、
付記１〜付記６の何れか１つに記載の電子装置。
（付記８）
前記ガイド部材は、前記筐体が搭載されるラックのガイドレールに連結される、
付記７に記載の電子装置。
（付記９）
前記ガイド部材は、前記側壁部の外面に重ねられるベース部を有し、
前記支持部は、前記ベース部に設けられる、
付記８に記載の電子装置。
（付記１０）
前記ガイド部材は、前記ベース部から前記側壁部と反対側へ延出し、前記ガイドレールにスライド可能に連結される連結部を有する、
付記９に記載の電子装置。
（付記１１）
複数の前記ユニット収容室の奥側に配置され、前記筐体の幅方向に延びるとともに、前記筐体の両側の前記側壁部を連結する連結部材を備え、
前記仕切部材は、前記連結部材と接合される、
付記１〜付記１０の何れか１つに記載の電子装置。
（付記１２）
前記連結部材は、前記筐体の前記上壁部に接合される、
付記１１に記載の電子装置。
（付記１３）
前記連結部材は、前記筐体の前記下壁部と間隔を空けて配置され、前記電子ユニットを支持する、
付記１１又は付記１２に記載の電子装置。
（付記１４）
前記連結部材は、前記電子ユニットの下面をスライド可能に支持する、
付記１１〜付記１３の何れか１つに記載の電子装置。
（付記１５）
前記連結部材は、
前記筐体の両側の前記側壁部の内面に沿って配置される一対の縦フレーム部と、
一対の前記縦フレーム部の上端部同士を連結する上側横フレーム部と、
一対の前記縦フレーム部の下端部同士を連結する下側横フレーム部と、
を有する、
付記１１〜付記１４の何れか１つに記載の電子装置。
（付記１６）
前記電子ユニットが接続されるコネクタを有し、前記連結部材に保持される基板を備える、
付記１１〜付記１５の何れか１つに記載の電子装置。
（付記１７）
前記電子ユニットの幅方向の端部には、前記支持部がスライド可能に挿入される段部が設けられる、
付記１〜付記１６の何れか１つに記載の電子装置。
（付記１８）
前記電子ユニットの幅方向の端部には、前記支持部がスライド可能に挿入される溝部が設けられる、
付記１〜付記１６の何れか１つに記載の電子装置。
（付記１９）
前記仕切部材は、
前記筐体の前記上壁部に接合されるフランジ部と、
前記フランジ部から下方へ延出する仕切壁部と、
前記仕切壁部から前記ユニット収容室内へ延出し、前記電子ユニットを支持する支持部と、
を有する、
付記１〜付記１８の何れか１つに記載の電子装置。
（付記２０）
ラックと、
電子ユニットを収容するユニット収容室を幅方向に複数有し、前記ラックに収容される筐体と、
前記筐体の上壁部から吊り下げられ、隣り合う前記ユニット収容室を仕切るとともに、前記電子ユニットを支持する仕切部材と、
前記筐体の側壁部から前記ユニット収容室内へ延出するとともに、前記筐体の下壁部と間隔を空けて配置され、前記電子ユニットを支持する支持部と、
を備える電子機器。
【符号の説明】
【００８１】
１０      電子機器
２０      ラック
３０      ガイドレール
４０      ラック搭載型装置（電子装置の一例）
４２      筐体
４２Ｌ    下壁部
４２Ｓ    側壁部
４２Ｕ    上壁部（筐体の上壁部の一例）
４４      ユニット収容室
５０      仕切部材
５２      フランジ部
５４      仕切壁部
５６      延出部
６０      ガイド部材
６２      ベース部
６４      上側連結部（連結部の一例）
６６      下側連結部（連結部の一例）
６８      支持部
７０      連結部材
７０Ｌ    下側横フレーム部
７０Ｓ    縦フレーム部
７０Ｕ    上側横フレーム部
７２      基板
７４      コネクタ
８０      電子ユニット
８０Ｅ１  一端部（電子ユニットの幅方向の一端部の一例）
８０Ｅ２  他端部（電子ユニットの幅方向の他端部の一例）
８０Ｌ    下面（電子ユニットの下面の一例）
８６      段部
８６Ｌ    下面（電子ユニットの下面の一例）
１２０    ガイド部材
１２２    ベース部
１２４    支持部
１３０    溝部
【図１】
2020140986.tif 000003
【図２】
2020140986.tif 000004
【図３】
2020140986.tif 000005
【図４】
2020140986.tif 000006
【図５】
2020140986.tif 000007
【図６】
2020140986.tif 000008
【図７】
2020140986.tif 000009
【図８】
2020140986.tif 000010
【図９】
2020140986.tif 000011
【図１０】
2020140986.tif 000012
【図１１】
2020140986.tif 000013
【図１２】
2020140986.tif 000014
【図１３】
2020140986.tif 000015